(57)【特許請求の範囲】
【請求項１】
合成樹脂からなり、底壁と側壁、及び凹部を有するケースと、金属製の丸線材からなる３個の第１、第２、第３の固定接点と、前記凹部内に収納された可動接点とを備え、前記丸線材は両端が前記ケースから突出し、一方の突出端部で端子部を形成すると共に、前記ケースに前記丸線材の他方の突出端部を収容して隣接する前記丸線材間を区分する区画壁を設け、前記区画壁は、前記ケースの壁面に前記丸線材の他方の突出端部の折り曲げ方向に沿って形成されると共に、該区画壁により前記丸線材の他方の突出端部が前記ケースの側壁に沿って折り曲げた状態において収容され、前記第１、第２、第３の固定接点は、前記凹部内で前記固定接点の接点部がそれぞれ露出した状態で前記底壁に並設して取り付けられると共に、３個の内の両側に位置する前記第１と第３の前記固定接点に常時接触させて前記可動接点を配置し、前記可動接点を押圧したとき、前記可動接点が前記第１と第３の固定接点に接触した状態で、前記可動接点の中央部が中間に位置する前記第２の固定接点に接触するようにしたことを特徴とする押しボタンスイッチ。
【請求項２】
前記第１と第３の固定接点には、前記凹部内で露出した前記接点部の上面に平坦面が設けられ、該平坦面上に前記可動接点を当接させたことを特徴とする請求項１記載の押しボタンスイッチ。
【請求項３】
前記第２の固定接点には、前記凹部内で露出した前記接点部の上面に平坦面が設けられ、該平坦面上で前記可動接点を接離可能にしたことを特徴とする請求項２記載の押しボタンスイッチ。
【請求項４】
前記第１、第２、第３の固定接点の前記接点部は、丸線材の母材から突き出た構成としたことを特徴とする請求項２、又は３記載の押しボタンスイッチ。
【請求項５】
前記ケースには、前記側壁の外側面、或いは／及び前記底壁の外底面に平坦状面を設け、また、前記第１、第２、第３の固定接点の端子部が前記側壁、或いは前記底壁から突出し、前記側壁の外側面、或いは前記底壁の外底面を、プリント基板等の取付部材に載置すると共に、前記第１、第２、第３の固定端子の前記端子部を前記取付部材に挿通するようにしたことを特徴とする請求項１、２、３、又は４記載の押しボタンスイッチ。
【発明の詳細な説明】
【０００１】
【発明の属する技術分野】
本発明は、ＡＶ機器等の音響機器、又、ＴＶ、或いはＶＴＲ等の電子機器に使用される押しボタンスイッチに関する。
【０００２】
【従来の技術】
従来の第１の押しボタンスイッチを説明すると、図２６に示すように、合成樹脂の成型品からなるケース５１は、底壁５１ａと、側壁５１ｂと、凹部５１ｃとを有している。
また、丸線材からなる２個の固定接点５２は、その接点部５２ａが凹部５１ｃ内で露出した状態で、並設して底壁５１ａに埋設されている。
また、金属板からなる可動接点５３は、２個の固定接点５２上に間隔を置いて所定に位置に保持されるように凹部５１ｃ内に配置されており、この可動接点５３上には、湾曲した円形の皿状を成したバネ部材５４が配設されている。
また、押しボタン５５は、ケース５１に固定された板部５６により、ケース５１に取り付けられ、押しボタン５５が取り付けられた際、その一部が凹部５１ｃ内に位置すると共に、その他の部分が凹部５１ｃから外方に突出した構成となっている。
【０００３】
そして、図２６のＡの状態で、押しボタン５５を押圧すると、同図のＢに示すように、押しボタン５５でバネ部材５４を押圧移動させ、このバネ部材５４により可動接点５３を、円柱状の２個の固定接点５２の接点部５２ａの頂部に押し付けて、２個の固定接点５２間を接続してＯＮ状態とする。
また、この押圧を解除すると、図２６のＡに示すように、バネ部材５４と可動接点５３は、自己のバネ性の復元力で元の状態に戻って、ＯＦＦ状態になると共に、押しボタン５５は、バネ部材５４により元の状態に押し戻される。
【０００４】
このような従来の押しボタンスイッチは、可動接点５３が２個の固定接点５２に同時に接離するようになっているため、押しボタン５５の押圧方向、例えば、斜め方向からの押圧時、可動接点５３が一方の固定接点５２に接触しない場合が発生し、接点の切り換えが不確実となる。
また、円柱状の固定接点５２の接点部５２ａの頂部に可動接点５３が接触するため、その接触面積が小さく、接触が不安定で、確実な接触ができないものであった。
【０００５】
また、従来の第２の押しボタンスイッチを説明すると、図２７に示すように、合成樹脂からなるケース６１には、固定接点６２が埋設され、その端子部６２ａがケース６１から外方に突出して設けられている。
また、ケース６１には、接点のＯＮＮ，ＯＦＦを行わしめる押しボタン６３が取り付けられていると共に、金属板からなる取付板６４が固着された構成となっている。
そして、このような押しボタンスイッチは、プリント基板等からなる取付部材６５上に取付板６４を載置して、この取付板６４で押しボタンスイッチを支持すると共に、取付板６４の脚部６４ａ、及び固定接点６２の端子部６２ａを取付部材６５に挿通して、押しボタンスイッチを取付部材６５に取り付けるようになっている。
【０００６】
そして、このような従来の押しボタンスイッチは、その取り付けのために取付板６４を必要とし、部品点数が多くなってコスト高になるばかりか、生産性も悪く、且つ、大型になるものであった。
【０００７】
【発明が解決しようとする課題】
従来の第１の押しボタンスイッチにあっては、可動接点５３が２個の固定接点５２に同時に接離するようになっているため、押しボタン５５の押圧方向、例えば、斜め方向からの押圧時、可動接点５３が一方の固定接点５２に接触しない場合が発生し、接点の切り換えが不確実となる。
また、円柱状の固定接点５２の接点部５２ａの頂部に可動接点５３が接触するため、その接触面積が小さく、接触が不安定で、確実な接触ができないものであった。
従来の第２の押しボタンスイッチにあっては、その取り付けのために取付板６４を必要とし、部品点数が多くなってコスト高になるばかりか、生産性も悪く、且つ、大型になるものであった。
【０００８】
【課題を解決するための手段】
上記課題を解決するための第１の解決手段として、
合成樹脂からなり、底壁と側壁、及び凹部を有するケースと、金属製の丸線材からなる３個の第１、第２、第３の固定接点と、前記凹部内に収納された可動接点とを備え、前記丸線材は両端が前記ケースから突出し、一方の突出端部で端子部を形成すると共に、前記ケースに前記丸線材の他方の突出端部を収容して隣接する前記丸線材間を区分する区画壁を設け、前記区画壁は、前記ケースの壁面に前記丸線材の他方の突出端部の折り曲げ方向に沿って形成されると共に、該区画壁により前記丸線材の他方の突出端部が前記ケースの側壁に沿って折り曲げた状態において収容され、前記第１、第２、第３の固定接点は、前記凹部内で前記固定接点の接点部がそれぞれ露出した状態で前記底壁に並設して取り付けられると共に、３個の内の両側に位置する前記第１と第３の前記固定接点に常時接触させて前記可動接点を配置し、前記可動接点を押圧したとき、前記可動接点が前記第１と第３の固定接点に接触した状態で、前記可動接点の中央部が中間に位置する前記第２の固定接点に接触するようにした構成とした。
また、第２の解決手段として、前記第１と第３の固定接点には、前記凹部内で露出した接点部の上面に平坦面が設けられ、該平坦面上に前記可動接点を当接させた構成とした。
【０００９】
また、第３の解決手段として、前記第２の固定接点には、前記凹部内で露出した接点部の上面に平坦面が設けられ、該平坦面上で前記可動接点を接離可能にした構成とした。
また、第４の解決手段として、前記第１、第２、第３の固定接点の前記接点部は、丸線材の母材から突き出た構成とした構成とした。
また、第５の解決手段として、前記ケースには、前記側壁の外側面、或いは／及び前記底壁の外底面に平坦状面を設け、また、前記第１、第２、第３の固定接点の端子部が前記側壁、或いは前記底壁から突出し、前記側壁の外側面、或いは前記底壁の外底面を、プリント基板等の取付部材に載置すると共に、前記第１、第２、第３の固定端子の前記端子部を前記取付部材に挿通するようにした構成とした。
【００１０】
【発明の実施の形態】
本発明の押しボタンスイッチを図１〜図２５に基づいて説明すると、何れも本発明の押しボタンスイッチに係り、図１は正面図、図２は側面図、図３は平面図、図４は裏面図、図５は図１の５ー５線における断面図、図６はケースに固定接点を取り付けた状態を示す正面図、図７はケースに固定接点を取り付けた状態を示す裏面図、図８は図６の８ー８線における断面図、図９は図７の９ー９線における断面図、図１０はケースに固定接点を取り付けた状態における要部の拡大断面図、図１１〜図１４は第１と第３の固定接点を示す図、図１５〜図１８は第２の固定接点を示す図、図１９は製造方法を示す説明図、図２０は可動接点の平面図、図２１は押しボタンの平面図、図２２は押しボタンの一部断面側面図、図２３は支持板の平面図、図２４と図２５は押しボタンスイッチの取り付けを示す説明図である。
【００１１】
次に、本発明の押しボタンスイッチを図１〜図２３に基づいて説明すると、合成樹脂の成型品からなる箱形のケース１は、底壁１ａと側壁１ｂとによって囲まれて形成された凹部１ｃと、前面に設けられた凸部１ｄと、後面に設けられた区画壁１ｅとを有し、そして、底壁１ａの外底面と側壁１ｂの外側面は、平坦状面を有して形成されている。
また、金属の丸線材からなる３個の第１、第２、第３の固定接点２、３、４は、中央部に設けられた接点部２ａ、３ａ、４ａと、接点部２ａ、３ａ、４ａの上面に設けられた平坦面２ｂ，３ｂ，４ｂと、一端部に設けられた端子部２ｃ，３ｃ，４ｃと、他端部に設けられた端部２ｄ，３ｄ，４ｄとを有している。
【００１２】
そして、共通の接点となる第１と第３の固定接点２、４は、図１１〜図１４に示すように、接点部２ａ、４ａが丸線材の母材から突き出し加工により突き出されて、母材から突き出た構成となっており、また、平坦面２ｃ，４ｃが接点部２ａ、４ａの頂部に潰し加工を行って、平坦状に構成されている。
また、切り換えの接点となる第２の固定接点３は、図１５〜図１８に示すように、接点部３ａが丸線材の母材から突き出し加工により突き出されて、母材から突き出た構成となっており、また、平坦面３ｃが接点部３ａの頂部に潰し加工を行って、平坦状に構成されている。
そして、図５に示すように、第２の固定接点３は、第１と第３の固定接点２、４よりも潰し加工を大きくして、接点部３ａの高さが接点部２ａ、４ａよりも若干低くなった構成となっている。
【００１３】
また、このような３個の固定接点２、３、４は、図５〜図１０に示すように、ケース１の凹部１ｃ内で、接点部２ａ、３ａ、４ａがそれぞれ露出した状態で底壁１ａに並設して埋設されて取り付けられている。
そして、固定接点２、３、４が取り付けられた際、それぞれの端子部２ｃ，３ｃ，４ｃは、ケース１の下方の側壁１ｂから外方に突出し、また、端部２ｄ，３ｄ，４ｄは折り曲げされて、底壁１ａに設けられた区画壁１ｅ間に位置した状態となっている。
また、ケース１と３個の固定接点２、３、４の製造方法は、図１９に示すように、３本の丸線材を平行状態で搬送し、先ず、３本の丸線材に突き出し加工と潰し加工を行って、接点部２ａ、３ａ、４ａを順次形成し、しかる後、３本の丸線材を搬送し、次に、合成樹脂の形成加工によりケース１を順次形成すると共に、ケース１に３本の丸線材を埋設する。
このように連続してケース１を形成した後、所望の位置で丸線材を切断すると、その製造が完了する。
【００１４】
また、バネ性のある金属板からなる可動接点５は、図５、図２０に示すように、湾曲した円形の皿状をなし、この可動接点５は、凹部１ｃ内に収納され、第１と第３の固定接点２、４の接点部２ａ、４ａの平坦面２ｂ，４ｂ上に載置されて、固定接点２ａ、４ａに当接した状態となっている。
そして、可動接点５の湾曲した中央部は、第２の固定接点３の接点部３ａと間隔を置いて対向した状態となっている。
また、合成樹脂の成型品からなる押しボタン６は、操作部６ａと、操作部６ａの一端に設けられた鍔部６ｂと、中心部に設けられた凸部６ｃとを有し、この押しボタン６は、鍔部６ｂと凸部６ｃが凹部１ｃ内に収納されている。
また、金属板等からなる支持板７は、図２３に示すように、中央部に設けられた大きな孔７ａと、孔７ａの周囲に設けられた複数個の小さい孔７ｂとを有し、この支持板７は、孔７ａに操作部６ａを挿通すると共に、孔７ｂにケース１の凸部１ｄを挿通して、ケース１の前面に重ね合わされ、凸部１ｄの先端部を潰して広げて、ケース１に支持板７が取り付けられている。
この時、押しボタン６の凸部６ｃが可動接点５の中央部に当接して、押しボタン５が可動接点６により押圧されると共に、鍔部６ｂが支持板７に係止した状態となっている。
【００１５】
次に、このような押しボタンスイッチの動作を説明すると、図５に示すような未作動の状態では、第１、及び第３の固定接点２、４と第２の固定接点３との間は接点がＯＦＦの状態にあり、この状態で押しボタン６を可動接点５のバネ性に抗して押圧すると、可動接点５は、第１と第３の固定接点２、４の平坦面２ｂ，４ｂに当接した状態で、中央部が変形して第２の固定接点３の平坦面３ｂに当接して、第１、及び第３の固定接点２、４と第２の固定接点３とがＯＮ状態となる。
また、押しボタン６の押圧を解除すると、可動接点５は自己のバネ性により元の状態に戻ると共に、押しボタン６は可動接点５により押し戻されて、図５の状態となり、接点がＯＦＦの状態となり、このようにして、押しボタンスイッチの動作が行われるものである。
【００１６】
また、図２４、図２５は、本発明による押しボタンスイッチの取り付け構造を示す説明図で、図２４に示すものは、プリント基板等の取付部材８に孔８ａを設け、ケース１の側壁１ｂの外側面に設けた平坦状面を、取付部材８の上面に載置すると共に、３個の固定接点２、３、４の端子部２ｃ，３ｃ，４ｃを孔８ａに挿通した状態で、端子部２ｃ，３ｃ，４ｃをプリント配線（図示せず）に半田付けして、押しボタンスイッチを取付部材８に取り付けものである。
また、図２５に示すものは、プリント基板等の取付部材８に孔８ａを設け、ケース１の側壁１ｂの外側面に設けた平坦状面を、取付部材８の上面に載置すると共に、３個の固定接点２、３、４に設けたく字状の端子部２ｃ，３ｃ，４ｃを孔８ａに挿通して、く字状の端子部２ｃ，３ｃ，４ｃで押しボタンスイッチを取付部材８に掛け止めして仮止めした状態で、端子部２ｃ，３ｃ，４ｃをプリント配線（図示せず）に半田付けして、押しボタンスイッチを取付部材８に取り付けものである。
このような構成すると、従来のような取付板６４が不要となり、安価で生産性が良く、小型の押しボタンスイッチが提供できる。
なお、ケース１の底壁１ａの外底面に設けた平坦状面を、取付部材８の上面に載置して、押しボタンスイッチを取付部材８に取り付けるようにしても良い。
【００１７】
【発明の効果】
本発明の押しボタンスイッチは、金属製の丸線材からなる３個の第１、第２、第３の固定接点２、３、４を並設してケース１の底壁１ａに取り付け、可動接点５を常時第１と第３の固定接点２、４に接触させた状態で、可動接点５を第２の固定接点３に接離させるようにしたため、第２の固定接点３のみの接離となり、接触が確実で、接点の切り換えの確実な押しボタンスイッチを提供できる。
また、第１と第３の固定接点２、４の接点部２ａ、４ａの上面に平坦面２ｂ，４ｂを設けて、この平坦面２ｂ，４ｂに可動接点５を当接させたため、その接触面積が大きく、接触の確実な押しボタンスイッチを提供できる。
また、第２の固定接点３の接点部３ａの上面に平坦面３ｂを設けて、この平坦面３ｂに可動接点５を接離させるようにしたため、その接触面積が大きく、接触が安定した接点の切り換えの確実な押しボタンスイッチを提供できる。
【００１８】
また、３個の固定接点２、３、４の接点部２ａ、３ａ、４ａは、丸線材の母材から突き出して構成したため、母材部分をケース１に埋設した時、接点部２ａ、３ａ、４ａが底壁１ａ面から突出させることができ、折り曲げて接点部を形成するものに比して、材料取りが良好で、安価な押しボタンスイッチを提供できる。また、ケース１の側壁１ｂの外側面に設けた平坦上面を、取付部材８に載置して、押しボタンスイッチを取付部材８に取り付けるようにしたため、従来のような取付板６４は不要となり、部品点数が少なく安価で、生産性が良く、小型の押しボタンスイッチを提供できる。
【図面の簡単な説明】
【図１】本発明の押しボタンスイッチの正面図。
【図２】本発明の押しボタンスイッチの側面図。
【図３】本発明の押しボタンスイッチの平面図。
【図４】本発明の押しボタンスイッチの裏面図。
【図５】図１の５ー５線における断面図。
【図６】本発明の押しボタンスイッチに係り、ケースに固定接点を取り付けた状態を示す正面図。
【図７】本発明の押しボタンスイッチに係り、ケースに固定接点を取り付けた状態を示す裏面図。
【図８】図６の８ー８線における断面図。
【図９】図７の９ー９線における断面図。
【図１０】本発明の押しボタンスイッチに係り、ケースに固定接点を取り付けた状態における要部の拡大断面図。
【図１１】本発明の押しボタンスイッチに係る第１と第３の固定接点の要部の平面図。
【図１２】本発明の押しボタンスイッチに係る第１と第３の固定接点の要部の側面図。
【図１３】本発明の押しボタンスイッチに係る第１と第３の固定接点の要部の下面図。
【図１４】本発明の押しボタンスイッチに係る第１と第３の固定接点の正面図。
【図１５】本発明の押しボタンスイッチに係る第２の固定接点の要部の平面図。
【図１６】本発明の押しボタンスイッチに係る第２の固定接点の要部の側面図。
【図１７】本発明の押しボタンスイッチに係る第２の固定接点の要部の下面図。
【図１８】本発明の押しボタンスイッチに係る第２の固定接点の正面図。
【図１９】本発明の押しボタンスイッチの製造方法を示す説明図。
【図２０】本発明の押しボタンスイッチに係る可動接点の平面図。
【図２１】本発明の押しボタンスイッチに係る押しボタンの平面図。
【図２２】本発明の押しボタンスイッチに係る押しボタンの正面図。
【図２３】本発明の押しボタンスイッチに係る支持板の平面図。
【図２４】本発明の押しボタンスイッチの取り付けを示す説明図。
【図２５】本発明の押しボタンスイッチの取り付けを示す説明図。
【図２６】従来の第１の押しボタンスイッチを示す断面図。
【図２７】従来の第２の押しボタンスイッチの説明図。
【符号の説明】
１  ケース
１ａ  底壁
１ｂ  側壁
１ｃ  凹部
１ｄ  凸部
１ｅ  区画壁
２  第１の固定接点
２ａ  接点部
２ｂ  平坦面
２ｃ  端子部
２ｄ  端部
３  第２の固定接点
３ａ  接点部
３ｂ  平坦面
３ｃ  端子部
３ｄ  端部
４  第３の固定接点
４ａ  接点部
４ｂ  平坦面
４ｃ  端子部
４ｄ  端部
５  可動接点
６  押しボタン
６ａ  操作部
６ｂ  鍔部
６ｃ  凸部
７  支持板
７ａ  孔
７ｂ  孔
８  取付部材
８ａ  孔
【図１】
0003803486.tif 000002
【図２】
0003803486.tif 000003
【図３】
0003803486.tif 000004
【図４】
0003803486.tif 000005
【図５】
0003803486.tif 000006
【図６】
0003803486.tif 000007
【図７】
0003803486.tif 000008
【図８】
0003803486.tif 000009
【図９】
0003803486.tif 000010
【図１０】
0003803486.tif 000011
【図１１】
0003803486.tif 000012
【図１２】
0003803486.tif 000013
【図１３】
0003803486.tif 000014
【図１４】
0003803486.tif 000015
【図１５】
0003803486.tif 000016
【図１６】
0003803486.tif 000017
【図１７】
0003803486.tif 000018
【図１８】
0003803486.tif 000019
【図１９】
0003803486.tif 000020
【図２０】
0003803486.tif 000021
【図２１】
0003803486.tif 000022
【図２２】
0003803486.tif 000023
【図２３】
0003803486.tif 000024
【図２４】
0003803486.tif 000025
【図２５】
0003803486.tif 000026
【図２６】
0003803486.tif 000027
【図２７】
0003803486.tif 000028